(57)【要約】【課題】  拡充コネクタの提供。【解決手段】  本発明の拡充コネクタは、ネットワークパッケージを送受するネットワーク接続ポートとネットワークパッケージを処理するネットワークコントロールチップの間に設置される。該拡充コネクタは、ネットワーク接続ポート中の対応する信号ピンと電気的に接続される一組の接続ポート信号ピンと、ネットワークコントロールチップ中の対応する信号ピンと電気的に接続される一組のチップ信号ピンとを具えている。【選択図】        図１
2006309504.tif 000002
【特許請求の範囲】
【請求項１】
拡充コネクタにおいて、該拡充コネクタはネットワークパッケージを送受するネットワーク接続ポートとネットワークパッケージを処理するネットワークコントロールチップの間に設置され、該拡充コネクタは、ネットワーク接続ポート中の対応する信号ピンと電気的に接続される一組の接続ポート信号ピンと、ネットワークコントロールチップ中の対応する信号ピンと電気的に接続される一組のチップ信号ピンとを具えていることを特徴とする、拡充コネクタ。
【請求項２】
請求項１記載の拡充コネクタにおいて、該拡充コネクタは配線でファイヤウォールユニットに接続された後、ネットワークパッケージをファイヤウォールユニットに分流させて、ファイヤウォールユニットで処理した後に該配線を通して戻すことを特徴とする、拡充コネクタ。
【請求項３】
請求項２記載の拡充コネクタにおいて、ファイヤウォールユニットは前記配線に対応するファイヤウォール端コネクタを具えたファイヤウォール回路板に設置され、該ファイヤウォールユニットがファイヤウォール回路板上の回路により該ファイヤウォール端コネクタと電気的に接続されたことを特徴とする、拡充コネクタ。
【請求項４】
請求項３記載の拡充コネクタにおいて、ファイヤウォールユニットを包含するファイヤウォール回路板に別にＰＣＩインタフェースが設けられ、該ファイヤウォール回路板がＰＣＩインタフェースによりＰＣＩスロットに挿入されることで、コンピュータのプロセッサが該ＰＣＩインタフェースを通してファイヤウォールユニットを制御可能となることを特徴とする、拡充コネクタ。
【請求項５】
請求項３記載の拡充コネクタにおいて、ファイヤウォールユニットを包含するファイヤウォール回路板がハードディスクの制御回路板と一体に整合され、コンピュータのプロセッサが該ハードディスクの信号インタフェースを通して該ファイヤウォールユニットを制御可能とされたことを特徴とする、拡充コネクタ。
【請求項６】
請求項５記載の拡充コネクタにおいて、信号インタフェースがスモールコンピュータシステムインタフェース（ＳＣＳＩ）、インテグレーテッドドライブエレクトロニクス（ＩＤＥ）、ユニバーサルシリアルバス（ＵＳＢ）、シリアルＡＴＡ（ＳＡＴＡ）、パラレルＡＴＡ（ＰＡＴＡ）のいずれかとされたことを特徴とする、拡充コネクタ。
【請求項７】
請求項１記載の拡充コネクタにおいて、拡充コネクタがネットワークカード或いはネットワーク接続ポートとネットワークコントロールチップをビルトインしたマザーボードに設置されたことを特徴とする、拡充コネクタ。
【請求項８】
請求項１記載の拡充コネクタにおいて、拡充コネクタがネットワーク接続ポートと整合されて単一個体の整合型ネットワーク接続ポートとされたことを特徴とする、拡充コネクタ。
【請求項９】
請求項１記載の拡充コネクタにおいて、拡充コネクタが更に、チャネルカバーを具え、該チャネルカバーが該拡充コネクタを被覆した後、一組の接続ポート信号ピンとチップ信号ピンの対応するピンが導通することを特徴とする、拡充コネクタ。
【発明の詳細な説明】
【技術分野】
【０００１】
本発明は一種の拡充コネクタに係り、特に、ネットワークパッケージを送受するネットワーク接続ポートとネットワークパッケージを処理するネットワークコントロールチップの間に設置される拡充コネクタに関する。
【背景技術】
【０００２】
インターネットが大量に使用されるのに伴い、各種のウイルス或いはハッカーが流行し、このため、各種のファイヤウォールに関する技術が続々と提出されている。
現在のほとんどの方法は、直接ネットワークカードに、或いはネットワーク接続ポートとネットワークコントロールチップを具えたマザーボード上にファイヤウォール機能を有するチップを増設することで、ネットワークカード或いはマザーボードにファイヤウォール機能を提供させている。しかし余分に増加するコストは販売価格に反映されてしまう。しかし、使用者がもともとファイヤウォール機能を含有するネットワークカード或いはマザーボードを必要としない場合、販売価格が高くなることは消費者の購入意欲を低減させる。また、ネットワークカード或いはマザーボード製造メーカーも市場の要求が不確定であるため、ファイヤウォール機能を有するネットワークカード或いはマザーボードを製造、販売したがらない。
【０００３】
しかし、ネットワークが発展するにつれ、将来的にファイヤウォールに対する要求は一層高くなる可能性がある。このため市場ではファイヤウォール機能を拡充できるネットワークカード或いはマザーボードにより、ネットワークカード或いはマザーボードの製造コストを増すこと無く拡充の可能性を提供できるようにすることが求められている。
【発明の開示】
【発明が解決しようとする課題】
【０００４】
本発明の主要な目的は、一種の拡充コネクタを提供することにあり、それはネットワーク接続ポートとネットワークコントロールチップの間に設置される拡充コネクタであって、ネットワークカード或いはマザーボードにコストアップさせずに拡充の可能性を提供できるものとする。
【０００５】
以上の目的を達成するため、本発明の拡充コネクタは、ネットワークパッケージを送受するネットワーク接続ポートとネットワークパッケージを処理するネットワークコントロールチップの間に設置される。該拡充コネクタは、ネットワーク接続ポート中の対応する信号ピンと電気的に接続される一組の接続ポート信号ピンと、ネットワークコントロールチップ中の対応する信号ピンと電気的に接続される一組のチップ信号ピンとを具えている。
【課題を解決するための手段】
【０００６】
請求項１の発明は、拡充コネクタにおいて、該拡充コネクタはネットワークパッケージを送受するネットワーク接続ポートとネットワークパッケージを処理するネットワークコントロールチップの間に設置され、該拡充コネクタは、ネットワーク接続ポート中の対応する信号ピンと電気的に接続される一組の接続ポート信号ピンと、ネットワークコントロールチップ中の対応する信号ピンと電気的に接続される一組のチップ信号ピンとを具えていることを特徴とする、拡充コネクタとしている。
請求項２の発明は、請求項１記載の拡充コネクタにおいて、該拡充コネクタは配線でファイヤウォールユニットに接続された後、ネットワークパッケージをファイヤウォールユニットに分流させて、ファイヤウォールユニットで処理した後に該配線を通して戻すことを特徴とする、拡充コネクタとしている。
請求項３の発明は、請求項２記載の拡充コネクタにおいて、ファイヤウォールユニットは前記配線に対応するファイヤウォール端コネクタを具えたファイヤウォール回路板に設置され、該ファイヤウォールユニットがファイヤウォール回路板上の回路により該ファイヤウォール端コネクタと電気的に接続されたことを特徴とする、拡充コネクタとしている。
請求項４の発明は、請求項３記載の拡充コネクタにおいて、ファイヤウォールユニットを包含するファイヤウォール回路板に別にＰＣＩインタフェースが設けられ、該ファイヤウォール回路板がＰＣＩインタフェースによりＰＣＩスロットに挿入されることで、コンピュータのプロセッサが該ＰＣＩインタフェースを通してファイヤウォールユニットを制御可能となることを特徴とする、拡充コネクタとしている。
請求項５の発明は、請求項３記載の拡充コネクタにおいて、ファイヤウォールユニットを包含するファイヤウォール回路板がハードディスクの制御回路板と一体に整合され、コンピュータのプロセッサが該ハードディスクの信号インタフェースを通して該ファイヤウォールユニットを制御可能とされたことを特徴とする、拡充コネクタとしている。
請求項６の発明は、請求項５記載の拡充コネクタにおいて、信号インタフェースがスモールコンピュータシステムインタフェース（ＳＣＳＩ）、インテグレーテッドドライブエレクトロニクス（ＩＤＥ）、ユニバーサルシリアルバス（ＵＳＢ）、シリアルＡＴＡ（ＳＡＴＡ）、パラレルＡＴＡ（ＰＡＴＡ）のいずれかとされたことを特徴とする、拡充コネクタとしている。
請求項７の発明は、請求項１記載の拡充コネクタにおいて、拡充コネクタがネットワークカード或いはネットワーク接続ポートとネットワークコントロールチップをビルトインしたマザーボードに設置されたことを特徴とする、拡充コネクタとしている。
請求項８の発明は、請求項１記載の拡充コネクタにおいて、拡充コネクタがネットワーク接続ポートと整合されて単一個体の整合型ネットワーク接続ポートとされたことを特徴とする、拡充コネクタとしている。
請求項９の発明は、請求項１記載の拡充コネクタにおいて、拡充コネクタが更に、チャネルカバーを具え、該チャネルカバーが該拡充コネクタを被覆した後、一組の接続ポート信号ピンとチップ信号ピンの対応するピンが導通することを特徴とする、拡充コネクタとしている。
【発明の効果】
【０００７】
本発明の拡充コネクタは、ネットワーク接続ポートとネットワークコントロールチップの間に設置される拡充コネクタであって、ネットワークカード或いはマザーボードにコストアップさせずに拡充の可能性を提供できる。
【発明を実施するための最良の形態】
【０００８】
図１は本発明の拡充コネクタの回路板表示図である。図１に示されるように、本発明の拡充コネクタ１６は回路板１０上に設置され、且つネットワークパッケージを送受するネットワーク接続ポート１４とネットワークパッケージを処理するネットワークコントロールチップ１２の間に設置される。該拡充コネクタ１６は、ネットワーク接続ポート１４中に接続された一組の接続ポート信号ピン１６ａと、ネットワークコントロールチップ１２に接続された一組のチップ信号ピン１６ｂとを具えている。
【０００９】
図２は本発明の整合型ネットワーク接続ポートの回路板表示図である。整合型ネットワーク接続ポート６０は上述の拡充コネクタ１６と一般のネットワーク接続ポート１４を単一個体に整合する。こうして、マザーボード或いはネットワークカード製造メーカーにとって、上述の拡充を必要とする時、もとの回路構造を改変する必要なく、ただ本発明の整合型ネットワーク接続ポート６０を伝統的なネットワーク接続ポート１４の代わりに使用すればよい。
【００１０】
図３及び図４を参照されたい。図３及び図４はファイヤウォールユニットを具えたファイヤウォール回路板の表示図である。図３に示されるように、拡充コネクタ１６中の一組の接続ポート信号ピン１６ａと一組のチップ信号ピン１６ｂの間の相互に対称なピンは電気的に接続されず、上述の接続された部品と電気的に接続され、即ちこの一組の接続ポート信号ピン１６ａとネットワーク接続ポート１４の対応するピンが電気的に接続され、一組のチップ信号ピン１６ｂがネットワークコントロールチップ１２中の対応する信号ピンと電気的に接続される。こうして、拡充コネクタ１６が配線（図示せず）を介してファイヤウォールユニット３２或いは４２にコネクタ３４により接続された後、ネットワークパッケージはファイヤウォールユニット３２或いは４２に分流され、並びにファイヤウォールユニット３２或いは４２により処理された後に配線を通して戻される。例えば、回路板１０がコンピュータ装置のマザーボードとされる時、このマザーボードにネットワークコントロールチップ１２とネットワーク接続ポート１４がビルトインされる。ゆえに、１本のネットワークケーブル（図示せず）がネットワーク接続ポート１４に挿入された後、このコンピュータ装置はネットワーク上のリソースにアクセスできる。このとき、使用者がコンピュータ装置を通してネットワーク上の特定アドレスのリソースを発送する時、ネットワークコントロールチップ１２を通してこのネットワークパッケージを発送する。そうでなければ、拡充コネクタ１６中の一組の接続ポート信号ピン１６ａと一組のチップ信号ピン１６ｂの間のピンは電気的に接続されていないため、順調に発送できない。
【００１１】
拡充コネクタ１６に前述の配線が接続されているか、或いはチャネルカバー（図示せず）が拡充コネクタ１６を被覆すると、一組の接続ポート信号ピン１６ａとチップ信号ピン１６ｂが導通しうる。これにより、使用者が自分でファイヤウォール機能を使用するか否かを決定できる。使用が必要ならば、別にファイヤウォールユニットの製品を購入し、並びに拡充コネクタ１６に対応する配線により使用者が発送するネットワークパッケージを、該チップ信号ピン１６ｂによりファイヤウォールユニット３２或いは４２に分流し、並びにファイヤウォールユニット３２或いは４２で処理した後に配線を通して該一組の接続ポート信号ピン１６ａに戻し、並びにネットワーク接続ポート１４を通してこのネットワークパッケージを送出する。もし使用が必要でなければ、使用者がチャネルカバーで拡充コネクタ１６を被覆すれば回路板１０を一般のネットワークカード或いはマザーボードとして正常に使用できる。
【００１２】
これにより、本発明の拡充コネクタ１６は、ネットワーク接続ポート１４とネットワークコントロールチップ１２の間に設置されて、ネットワークカード或いはマザーボードのコストを増加することなく拡充の可能性を提供する。次に、二種類のファイヤウォールユニット３２或いは４２を包含するファイヤウォール回路板３０或いは４０にどのような違いがあるかを説明する。
【００１３】
図３に示されるように、ファイヤウォールユニット３２を具えたファイヤウォール回路板３０がＰＣＩインタフェースを具えている時、ファイヤウォール回路板３０はＰＣＩインタフェース３６によりＰＣＩスロット（図示せず）に挿入され、これによりコンピュータのプロセッサがＰＣＩインタフェース３６を通してファイヤウォールユニット３２を制御可能となる。図４に示される構造では、ファイヤウォール回路板４０がハードディスク制御回路板４４と整合されている。この時、コンピュータのプロセッサはハードディスクの信号インタフェース５０を通してファイヤウォールユニット４２を制御する。
【００１４】
具体的には、使用者がパスワードを入力した後、信号インタフェース５０とハードディスク制御回路板４８により内部バス４６を介して認証要求とこのパスワードがファイヤウォール回路板４０中のファイヤウォールユニット４２に送られる。続いて、ファイヤウォールユニット４２がコネクタ３４と図１或いは図２中の拡充コネクタ１６の配線を通し、ネットワークソース認識装置（図示せず）の保存する身分認証データに基づき認証プロセスを実行する。
【００１５】
上述の信号インタフェース５０はスモールコンピュータシステムインタフェース（ＳＣＳＩ）、インテグレーテッドドライブエレクトロニクス（ＩＤＥ）、ユニバーサルシリアルバス（ＵＳＢ）、シリアルＡＴＡ（ＳＡＴＡ）、パラレルＡＴＡ（ＰＡＴＡ）或いはその他の適合するバスインタフェースとされる。
【００１６】
以上の具体的実施例の説明は本発明の特徴と精神を説明するために提示されたものであって本発明の範囲を限定するためのものではなく、本発明に基づきなしうる細部の修飾或いは改変は、いずれも本発明の請求範囲に属するものとする。
【図面の簡単な説明】
【００１７】
【図１】本発明の拡充コネクタの回路板表示図である。
【図２】本発明の整合型ネットワーク接続ポートの回路板表示図である。
【図３】ファイヤウォールユニットを具えたファイヤウォール回路板の表示図である。
【図４】ファイヤウォールユニットを具えたファイヤウォール回路板の表示図である。
【符号の説明】
【００１８】
１０  回路板
１２  ネットワークコントロールチップ
１４  ネットワーク接続ポート
１６  拡充コネクタ
１６ａ  接続ポート信号ピン
１６ｂ  チップ信号ピン
６０  整合型拡充コネクタ
３０、４０  ファイヤウォール回路板
３２、４２  ファイヤウォールユニット
３４  コネクタ
３６  ＰＣＩインタフェース
４４  ハードディスク制御回路板
４６  内部バス
４８  ハードディスク制御回路板
５０  信号インタフェース
【図１】
2006309504.tif 000003
【図２】
2006309504.tif 000004
【図３】
2006309504.tif 000005
【図４】
2006309504.tif 000006